【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
等分機モジュールを備えるシステムであって、前記等分機モジュールは、
進路であって、前記進路は、
一次サンプルコンテナを有するサンプルキャリアと、二次サンプルコンテナを有するサンプルキャリアとを輸送するように構成されている移動レーンと、
空のサンプルキャリアと、空の二次サンプルコンテナを有するサンプキャリアと、サンプルアリコートを備える二次サンプルコンテナを有するサンプルキャリアとを輸送するように構成されている第１のループと、
一次サンプルコンテナを有するサンプルキャリアを輸送するように構成されている第２のループと
を備える、進路と、
吸引位置に位置する一次サンプルコンテナの中のサンプルの第１のアリコート体積を吸引し、分注位置に位置する二次サンプルコンテナの中に前記サンプルの前記第１のアリコート体積を分注するように構成されているピペッタと
を備え、
前記等分機モジュールは、前記一次サンプルコンテナの前に前記二次サンプルコンテナを前記等分機モジュールから離れさせるように構成されている、システム。
【請求項２】
前記吸引位置は、前記第１のループに隣接し、前記分注位置は、前記第２のループに隣接している、請求項１に記載のシステム。
【請求項３】
前記第１のループと前記第２のループとの両方は、前記システムの前記等分機モジュールを超えて延在しない、請求項１に記載のシステム。
【請求項４】
前記進路は、前記第１のループおよび前記第２のループに対する共通進路部分を備える、請求項１に記載のシステム。
【請求項５】
前記第１のループは、前記移動レーンに接続されていることにより、サンプルキャリアは、前記移動レーンから前記第１のループに進入し、前記移動レーンの上へと前記第１のループから離れることができ、
前記第２のループは、前記移動レーンに接続されていることにより、サンプルキャリアは、前記移動レーンから前記第２のループに進入し、前記移動レーンの上へと前記第２のループから離れることができ、
前記等分機モジュールは、前記一次サンプルコンテナの前に前記二次サンプルコンテナを前記等分機モジュールから離れさせるように構成されている、請求項１に記載のシステム。
【請求項６】
前記移動レーンおよび前記第１のループに近接している第１の回転可能なゲートウェイデバイスと、
前記移動レーンおよび前記第２のループに近接している第２の回転可能なゲートウェイデバイスと
をさらに備え、
前記第１の回転可能なゲートウェイデバイスは、前記移動レーンから前記第１のループへサンプルキャリアを移送し、かつ前記第１のループから前記移動レーンへサンプルキャリアを移送するように動作可能であり、
前記第２の回転可能なゲートウェイデバイスは、前記移動レーンから前記第２のループへサンプルキャリアを移送し、かつ前記第２のループから前記移動レーンへサンプルキャリアを移送するように動作可能である、請求項５に記載のシステム。
【請求項７】
前記第１および第２の回転可能なゲートウェイデバイスは、サンプルキャリアの円形縁を受け取るための凹面を伴う三日月形を有する円盤様物体を備える、請求項６に記載のシステム。
【請求項８】
前記第１のループおよび前記第２のループは、前記移動レーンに対して共通の進路部分を有しない円形無限ループとして構成されることができる、請求項１に記載のシステム。
【請求項９】
前記サンプルキャリアは、独立して移動可能なキャリアである、請求項１に記載のシステム。
【請求項１０】
等分機モジュール内においてサンプルアリコートを準備する方法であって、前記方法は、
一次サンプルを備える第１のサンプルキャリアを進路システムの移動レーンから前記等分機モジュールの第１のループへ移送することであって、前記等分機モジュールは、吸引位置を有する、ことと、
第２のサンプルキャリアを前記移動レーンから前記等分機モジュールの第２のループへ移送することであって、前記等分機モジュールは、分注位置および二次サンプルコンテナ荷積み位置を有する、ことと、
前記二次サンプルコンテナ荷積み位置において二次サンプルコンテナを前記第２のサンプルキャリアの中に荷積みすることと、
ピペッタによって、前記吸引位置において前記一次サンプルのアリコート体積を吸引することと、
前記ピペッタによって、前記分注位置において前記二次サンプルコンテナの中の前記一次サンプルの前記アリコート体積を分注することと、
前記二次サンプルコンテナ内の前記一次サンプルの前記アリコート体積を備える前記第２のサンプルキャリアを前記第２のループから前記移動レーンに移送することと、
前記一次サンプルコンテナが前記等分機モジュールから離れる前に、前記二次サンプルコンテナ内の前記一次サンプルの前記アリコート体積を備える前記第２のサンプルキャリアを前記等分機モジュールから離れさせることと
を含む、方法。
【請求項１１】
前記第１のサンプルキャリアは、前記移動レーンと前記等分機モジュールの前記第１のループとに近接している第１の回転可能なゲートウェイデバイスを回転させることによって、前記進路システムの前記移動レーンから前記等分機モジュールの前記第１のループへ移送され、
前記第２のサンプルキャリアは、前記移動レーンと前記等分機モジュールの前記第２のループとに近接している第２の回転可能なゲートウェイデバイスを回転させることによって、前記進路システムの前記移動レーンから前記等分機モジュールの前記第２のループへ移送される、請求項１０に記載の方法。
【請求項１２】
前記一次サンプルを備える前記第１のサンプルキャリアを前記移動レーンから前記第１のループへ移送する前に、前記一次サンプルは、等分のために前記移動レーン上に前記システムによって識別される、請求項１０に記載の方法。
【請求項１３】
前記二次サンプルコンテナ荷積み位置においてさらなる二次サンプルコンテナをさらなる第２のサンプルキャリアの中に荷積みすることと、
ピペッタによって、前記吸引位置において前記一次サンプルのさらなるアリコート体積を吸引することと、
前記ピペッタによって、前記分注位置において前記さらなる二次サンプルコンテナの中の前記一次サンプルの前記さらなるアリコート体積を分注することと、
前記さらなる二次サンプルコンテナ内の前記一次サンプルの前記さらなるアリコート体積を備える前記さらなる第２のサンプルキャリアを前記第２のループから前記移動レーンに移送することと、
前記一次サンプルコンテナが前記等分機モジュールから離れる前に、前記さらなる第２のサンプルキャリアを前記等分機モジュールから離れさせることと
をさらに含む、請求項１０に記載の方法。
【請求項１４】
最後のアリコートが行われた場合、前記最後のアリコートを備える前記二次サンプルコンテナと前記一次サンプルコンテナとは、スケジュールに従って、前記二次サンプルコンテナおよび前記一次サンプルコンテナの次の目的地へ解放され、後続の二次サンプルコンテナおよび一次サンプルコンテナは、それぞれ、前記分注位置および吸引点に移動される、請求項１０に記載の方法。
【請求項１５】
前記吸引位置および前記分注位置におけるバーコード読み取り機は、前記吸引位置および前記分注位置に位置付けられた前記サンプルコンテナ上のバーコードを読み取ることによって正しい関連を検証する、請求項１０に記載の方法。